(57)【特許請求の範囲】
【請求項１】
側面および妻面によって角部が構成され、外側に透過ビニールが張られるビニールハウスであって、
前記角部には、上下方向に連続する取付部材が設けられ、前記取付部材は、当該ビニールハウスの前記側面に沿って延びる側面部、および前記妻面に沿って延びる妻面部によって断面略Ｌ字形状に形成された裏側部材と、前記側面部および前記妻面部にそれぞれ取り付けられた透過ビニール固定部材とを備えることを特徴とするビニールハウス。
【請求項２】
前記側面部には、２つの前記透過ビニール固定部材が並設されていることを特徴とする請求項１に記載のビニールハウス。
【請求項３】
前記取付部材は、上下方向に延びるパイプ材に沿って配置され、前記側面部および前記妻面部が前記パイプ材に対して隙間なく接触するように取り付けられていることを特徴とする請求項１または請求項２に記載のビニールハウス。
【発明の詳細な説明】
【技術分野】
【０００１】
本発明は、野菜や果実などを室内栽培するためのビニールハウスに関する。
【背景技術】
【０００２】
ビニールハウス（パイプハウスなどともいう）は、太陽光を取り入れ可能な透過ビニールによってその全体が覆われており、このビニールハウスの骨組みを構成するパイプ材には、水平方向或いは垂直方向に延びるビニペット（登録商標）が取り付けられている。透過ビニールは、ビニールハウスの全体に張り付けられた後に、このビニペットに取付具を介して挟み込むようにして固定される。
【０００３】
この透過ビニールを張る作業では、ビニールハウスの四隅の角部に巻き上げ機を設置し、ロール状に巻かれた透過ビニールをこの巻き上げ機を用いて上下に移動させながら行われる。また、ビニールハウスの側面に換気用の開口を設けている場合には、この開口を開閉するために、同様に巻き上げ機を設置して側ビニールを上下に巻き上げている（例えば、特許文献１参照）。
【先行技術文献】
【特許文献】
【０００４】
【特許文献１】特開２００９−２７３３８９号公報
【発明の概要】
【発明が解決しようとする課題】
【０００５】
巻き上げ機を用いて透過ビニールを巻き上げる（巻き戻す）際に、透過ビニールが巻き上げ機と接触し、破れてしまうことがある。特に、ビニールハウスの四隅の角部（妻面と側面が交差する角部）では、パイプ材（或いはビニペット）によって外側に突き出された透過ビニールが巻き上げ機と接触し易く、この角部で破損することがある。
【０００６】
このような破損は気づかぬうちに発生していることが多いため、室温の変化が生じてから気づくことがある。また、透過ビニールの破損部分を修繕したり、透過ビニールを張り替える手間も発生する。
【０００７】
本発明は、上述した事情を鑑みてなされたものであり、その目的は、角部でビニールが破損して、外気が室内に入り込むことを防止するビニールハウスを提供することにある。
【課題を解決するための手段】
【０００８】
上述課題を解決するため、本発明は、側面および妻面によって角部が構成され、外側に透過ビニールが張られるビニールハウスであって、前記角部には、上下方向に連続する取付部材が設けられ、前記取付部材は、当該ビニールハウスの前記側面に沿って延びる側面部、および前記妻面に沿って延びる妻面部によって断面略Ｌ字形状に形成された裏側部材と、前記側面部および前記妻面部にそれぞれ取り付けられた透過ビニール固定部材とを備えることを特徴とする。
【０００９】
また、前記側面部には、２つの前記透過ビニール固定部材が並設されている。
【００１０】
さらに、前記取付部材は、上下方向に延びるパイプ材に沿って配置され、前記側面部および前記妻面部が前記パイプ材に対して隙間なく接触するように取り付けられていてもよい。
【発明の効果】
【００１１】
本発明に係るビニールハウスは、前記角部に、上下方向に連続する取付部材が設けられ、前記取付部材は、当該ビニールハウスの前記側面に沿って延びる側面部、および前記妻面に沿って延びる妻面部によって断面略Ｌ字形状に形成された裏側部材を備えているので、裏側部材が外気を遮断して、室内に外気が入り込まないようにすることができる。そのため、この角部に透過ビニールを設ける必要がなく、この角部で巻き上げ機と透過ビニールとが接触することがない。また、前記側面部および前記妻面部にそれぞれ取り付けられた透過ビニール固定部材を備えているので、側面側および妻面側で透過ビニールを確実に固定し、巻き上げ機と透過ビニールとが接触しないようにすることができる。
【図面の簡単な説明】
【００１２】
【図１】本発明の実施の形態に係るビニールハウスの外観を示す斜視図である。
【図２】図１のＸ−Ｘ断面図である。
【図３】（Ａ）は取付部材を側面から見た図、（Ｂ）は（Ａ）の断面図である。
【図４】側ビニールを２つのビニペットで固定した状態を示す概要図である。
【図５】本発明の第１変形例である。
【発明を実施するための最良の形態】
【００１３】
以下、本発明の実施の形態に係るビニールハウスについて、図面を用いて詳細に説明する。
図１は、本発明の実施の形態に係るビニールハウスの外観を示す斜視図である。なお、本実施の形態で使用する前後（奥行き）、左右、上下方向とは、図１で示す方向（妻面Ｔを正面から見た方向）をいうものとする。また、内側、外側とは、ビニールハウス１の内側（室内側）、外側（室外側）をいうものとする。
【００１４】
ビニールハウス１は、図１に示すように、妻面Ｔ側から奥行き方向（前後方向）に間隔を空けて複数のアーチパイプ２ａが設けられており、このアーチパイプ２ａを繋ぐようにして直線状の母屋パイプ２ｂが前後方向に連結されている。また、これらのパイプ２ａ、２ｂの外側には、屋根部を覆う屋根ビニール３ａと、側面部を覆う側ビニール３ｂとによって、ビニールハウス１の外側全体が覆われている。また、これらの透過性を有するビニール３ａ、３ｂは、ビニールハウスの水平方向（前後、左右方向）或いは上下方向に延びる複数のビニペット（図視せず）を介してパイプ２ａ、２ｂに固定される。
【００１５】
図２は、図１のＸ−Ｘ断面図である。また、図３（Ａ）は取付部材１０を側面Ｓから見た図、（Ｂ）は（Ａ）の断面図である。
【００１６】
ビニールハウス１の四隅の角部Ｆ（上面視で妻面Ｔと側面Ｓが交差する角部）には、図１および図２に示すように、アーチパイプ２ａが上下方向に立設されている。また、このアーチパイプ２ａの角部Ｆよりも側面Ｓ側には側ビニール３ｂが張られ、角部Ｆよりも妻面Ｔ側には、側ビニール３ｃがそれぞれ張られている。また、側面Ｓ側の側ビニール３ｂのさらに外側には、側ビニール３ｂに重ねるようにして、図示しない換気用の開口を覆うための開閉用ビニール４が張られている。
【００１７】
このアーチパイプ２ａの外側の部分には、角部Ｆの近傍で張られる側ビニール３ｂ、３ｃ、および開閉用ビニール４を上下方向で固定するための取付部材１０が設けられている。この取付部材１０は、裏側部材１２と、この裏側部材１２の外側に配置された３つのビニペット１１ａ、１１ｂ、１１ｃ（透過ビニール固定部材１１ａ、１１ｂ、１１ｃ）で構成されている。
【００１８】
裏側部材１２は、鋼板を略Ｌ字形状に折り曲げて形成されており、側面Ｓに沿う側面部１２ａと、妻面Ｔに沿う妻面部１２ｂとで構成されている。これらの側面部１２ａの前後方向の長さ、および妻面部１２ｂの左右方向の長さは、図２に示すように、アーチパイプ２ａの円形断面の半径よりも長く形成されており、裏側部材１２をアーチパイプ２ａに取り付けた状態で、側面部１２ａの内側の面と、妻面部１２ｂの内側の面とが、アーチパイプ２ａとそれぞれ隙間なく接触するようになっている。また、裏側部材１２の側面部１２ａと妻面部１２ｂとの角度Ｒは、ビニールハウス１の外形状に合わせて任意（一般的には概ね９０度）に設定できる。
【００１９】
ビニペット１１ａ、１１ｃは、図２および図３に示すように、側面部１２ａの面上に２列に並べて取り付けられており、ビニペット１１ｂは、妻面部１２ｂの面上に１列に取り付けられている。これらのビニペット１１ａ、１１ｂ、１１ｃは、裏側部材１２と共に、図１に示すように、アーチパイプ２ａの上下方向に沿って側面Ｓの下端から上端まで連続している。
【００２０】
ビニペット１１ａ、１１ｂ、１１ｃは、図２に示すように、断面略Ｕ字形状に形成されている。側ビニール３ｂ、３ｃおよび開閉用ビニール４は、このＵ字形状の内側に押し込まれ、弾性によって撓む固定具２０を用いて挟み込むようにして固定される。
【００２１】
なお、図２では、ビニペット１１ａ、１１ｂで側ビニール３ｂ、３ｃを固定して、ビニペット１１ｃでは固定していないが、この固定方法は状況によって任意に決定することができる。例えば、図４に示すように、２つのビニペット１１ａ、１１ｃの２箇所を用いて側ビニール３ｂをより強固に固定して、台風などの強風に備えるようにしてもよいし、側面Ｓ側（或いは妻面Ｔ側）に透過ビニールを２重にして張る場合に、空いているビニペット１１ｃを用いて固定するようにしてもよい。
【００２２】
次に、本発明の実施の形態に係るビニールハウスの作用について詳細に説明する。
【００２３】
巻き上げ機（図視せず）を用いて透過ビニールを巻き上げる（巻き戻す）際に、この巻き上げ機は角部Ｆに接触することがある。しかしながら、本願の構造では、側面Ｓの側ビニール３ｂと妻面Ｔの側ビニール３ｃとは、それぞれ別々に構成され、角部Ｆには側ビニール３ｂ、３ｃがないので、この部分で側ビニール３ｂ、３ｃと接触することはなく、側ビニール３ｂ、３ｃが破れることがない。
【００２４】
このとき、取付部材１０の裏側部材１２（側面部１２ａ、妻面部１２ｂ）は、ビニールハウス１の外側の外気を遮断し、角部Ｆからビニールハウス１の室内に外気が入り込むことを防止する。また、裏側部材１２は、アーチパイプ２ａの外周と隙間なく接触するように取り付けられているので、この接触部分でも外気を遮断し、角部Ｆから外気がビニールハウス１内に入り込むのを防止する。
【００２５】
さらに、巻き上げ機の巻き上げ範囲は、側ビニール３ｂの上端から下端までになるが、取付部材１０はこの範囲の全長に亘って延在しているので、上下方向のどの位置であっても側ビニール３ｂ、３ｃが巻き上げ機と接触することはなく、かつ、裏側部材１２によって外気が室内に入り込むのを防止する。
【００２６】
一方、取付部材１０は、ビニールハウス１の角部で側ビニール３ｂを確実に固定することで、万が一に巻き上げ機が側ビニール３ｂ、３ｃと接触しても破れにくくするという機能も有している。
【００２７】
なお、本実施例では、裏側部材１２の側面部１２ａを妻面部１２ｂよりも長くして、側面部１２ａに２つのビニペット１１ａ、１１ｃを設けているのは、側面Ｓに喚起用の開口を設けて開閉用ビニール４を張るためである。すなわち、換気用の開口を妻面Ｔに設ける場合には、妻面部１２ｂに２つのビニペットを設けるようにすることもできる。
【００２８】
また、一般的なビニールハウス１は、側面Ｓ側の全体の長さ（前後方向の長さ）の方が妻面Ｔ側の全体の長さ（左右方向の長さ）よりも長いため、側面Ｓ側の側ビニール３ｂを固定する強度もより必要になる。そのため、図４に示すように、側ビニール３ｂを２つのビニペット１１ａ、１１ｃで固定することで、より固定強度が高められるようにしている。
【００２９】
また、外気を遮断するという意味では裏側部材１２の側面部１２ａおよび妻面部１２ｂの前後および左右方向の長さをより長くすることが好ましいが、必要以上に長くすると裏側部材１２で日光を遮ってしまうことになり、ビニールハウス１としての機能が低下する。そのため、種々の長さで試した結果、側面Ｓ側に２つのビニペットを並設できる程度の長さが最適であると判断した。
【００３０】
本発明の実施の形態に係るビニールハウスによれば、角部Ｆに、上下方向に連続する取付部材１０が設けられ、取付部材１０は、ビニールハウス１の側面Ｓに沿って延びる側面部１２ａ、および妻面Ｔに沿って延びる妻面部１２ｂによって断面略Ｌ字形状に形成された裏側部材１２を備えているので、裏側部材１２が外気を遮断して、室内に外気が入り込まないようにすることができる。そのため、角部Ｆに側ビニール３ｂ、３ｃを設ける必要がなく、この角部Ｆで巻き上げ機と側ビニール３ｂ、３ｃとが接触することがない。また、側面部１２ａおよび妻面部１２ｂにそれぞれ取り付けられたビニペット１１ａ〜１１ｃを備えているので、側面Ｓ側および妻面Ｔ側で側ビニール３ｂ、３ｃをそれぞれ確実に固定し、巻き上げ機と透過ビニールとが接触しないようにすることができる。
【００３１】
また、側面部１２ａには、２つのビニペット１１ａ、１１ｃが並設されているので、側面Ｓに張られる側ビニール３ｂを２つのビニペット１１ａ、１１ｃでより強固に固定することができる。また、側面Ｓに喚起用の開口を設ける場合には、この開口を覆う開閉用ビニール４をビニペット１１ｃで固定することができる。これにより、側ビニール３ｂおよび開閉用ビニール４が巻き上げ機と接触して破損することがなく、かつ、裏側部材１２によって外気の侵入を防止することができる。
【００３２】
さらに、取付部材１０は、上下方向に延びるアーチパイプ２ａに沿って配置され、側面部１２ａおよび妻面部１２ｂがアーチパイプ２ａに対して隙間なく接触するように取り付けられているので、角部Ｆから侵入しようとする外気が、よりビニールハウス１内に入り込むことを防止することができる。
【００３３】
以上、本発明の実施の形態に係るビニールハウス１について述べたが、本発明は既述の実施形態に限定されるものではなく、本発明の技術思想に基づいて各種の変形および変更が可能である。
【００３４】
例えば、本実施の形態では、取付部材１０の側面Ｓ側に２つのビニペット１１ａ、１１ｃ、妻面Ｔ側に１つのビニペット１１ｂを設けているが、図５に示すように、それぞれに１つずつのビニペット１１ａ、１１ｂを配置するものでもよい。この場合であっても、取付部材１００の裏側部材１２０が外気を遮断するとともに、裏側部材１２０をアーチパイプ２ａと隙間なく接触して取り付けることで、角部Ｆから入り込む外気をこの接触部で遮断することができる。なお、ビニペットの数は、ビニールハウス１の外形状に合わせて、妻面Ｔ側に２つ、側面Ｓ側に１つで構成することもできる。
【００３５】
また、本実施の形態では、取付部材１０をアーチパイプ２ａに取り付けているが、アーチパイプ２ａがない構造であっても取り付けることができる。例えば、側面Ｓおよび妻面Ｔに沿って前後方向および左右方向に延びる主骨材（ビニールハウスの骨組み）によって角部Ｆが構成されるものであれば、この主骨材に取り付けることもできる。この場合であっても、取付部材１０は、角部Ｆの上下方向に連続して設けられていれば、本発明の効果を奏することができる。
【００３６】
さらに、本実施の形態では、アーチパイプ２ａの断面が円形のもので構成しているが、角形であっても構わない。すなわち、取付部材１０が、この角形のパイプ材に沿って上下方向に延在しており、裏側部材１２が角形のパイプ材と隙間なく接触する態様で取り付けられていれば、本発明の効果を奏することができる。
【符号の説明】
【００３７】
１  ビニールハウス
２ａ  アーチパイプ（パイプ材）
２ｂ  母屋パイプ
３ａ  屋根ビニール
３ｂ、３ｃ  側ビニール
４  開閉用ビニール
１０、１００  取付部材
１１ａ、１１ｂ、１１ｃ  ビニペット（透過ビニール固定部材）
１２、１２０  裏側部材
１２ａ  側面部
１２ｂ  妻面部
２０  固定具
Ｆ  角部
Ｒ  角度
Ｓ  ビニールハウスの側面
Ｔ  ビニールハウスの妻面
【要約】
【課題】角部でビニールが破損して、外気が室内に入り込むことを防止するビニールハウスを提供する。
【解決手段】側面Ｓおよび妻面Ｔによって角部Ｆが構成され、外側に透過ビニール３ｂが張られるビニールハウス１であって、角部Ｆには、上下方向に連続する取付部材１０が設けられ、取付部材１０は、ビニールハウス１の側面Ｓに沿って延びる側面部１２ａ、および妻面Ｔに沿って延びる妻面部１２ｂによって断面略Ｌ字形状に形成された裏側部材１２と、側面部１２ａおよび妻面部１２ｂにそれぞれ取り付けられたビニペット１１ａ、１１ｂ、１１ｃとを備える。
【選択図】図２【図１】
0006890194.tif 000002
【図２】
0006890194.tif 000003
【図３】
0006890194.tif 000004
【図４】
0006890194.tif 000005
【図５】
0006890194.tif 000006